(57)【要約】【課題】  撮像装置を携帯電話に装着する場合に、取付ける位置やその周囲の形状等によってはそのフランジのレンズ鏡筒に対する配置を変更しないと、携帯電話に装着できない場合がある。このときには、そのフランジの配置を変更する際に、レンズ鏡筒全体を取り替える必要があるが、レンズ鏡筒自体の変更・取り替えは、撮像素子に対するレンズ位置等の精度が要求されるため、レンズ鏡筒の変更・取り替えは必ずしも容易ではないという課題があった。【解決手段】  基板と、この基板上に設けられた撮像素子と、この撮像素子上に設けられた光学ユニットと、前記基板上に設けられ、前記撮像素子の駆動電圧を生成する高圧電源回路と、前記光学ユニットの表面部を露出させ、前記高圧電源回路を電磁シールドするシールドケースと、このシールドケースに連続して前記シールドケースの外側に延び、移動体通信装置に固定される固定部とを備えた撮像装置。【選択図】        図１
2006165646.tif 000002
【特許請求の範囲】
【請求項１】
基板と、この基板上に設けられた撮像素子と、この撮像素子上に設けられた光学ユニットと、前記基板上に設けられ、前記撮像素子の駆動電圧を生成する高圧電源回路と、前記光学ユニットの表面部を露出させ、前記高圧電源回路を電磁シールドするシールドケースと、このシールドケースに連続して前記シールドケースの外側に延び、移動体通信装置に固定される固定部とを備えた撮像装置。
【請求項２】
基板と、この基板上に設けられた撮像素子と、この撮像素子上に設けられた光学ユニットと、前記基板上に設けられ、前記撮像素子から出力される映像信号をＡＤ変換するＡＤ変換回路と、前記基板上に設けられ、前記撮像素子の駆動電圧を生成し、前記ＡＤ変換回路に電力を供給する高圧電源回路と、前記光学ユニットの表面部を露出させ、前記ＡＤ変換回路及び前記高圧電源回路を電磁シールドするシールドケースと、このシールドケースに連続して前記シールドケースの外側に延び、移動体通信装置に固定される固定部とを備えた撮像装置。
【請求項３】
前記シールドケースは、その対向する両端部を屈曲させ、前記固定部はその屈曲した各先端に連続して形成した請求項１又は２に記載の撮像装置。
【請求項４】
前記固定部は、前記シールドケースと一体成形された請求項１〜３のいずれかに記載の撮像装置。
【請求項５】
前記シールドケースは、導電性樹脂により形成した請求項１〜４のいずれかに記載の撮像装置。
【請求項６】
前記固定部は、接地された請求項１〜５のいずれかに記載の撮像装置。
【請求項７】
前記固定部は、螺子により前記移動体通信装置に固定された請求項１〜６のいずれかに記載の撮像装置。
【発明の詳細な説明】
【技術分野】
【０００１】
この発明は、携帯電話等の移動体通信装置に搭載される撮像装置に関する。
【背景技術】
【０００２】
従来、この種の撮像装置に関し、例えば、特開平８−１９５８９９号公報に記載されたものがあった。
【０００３】
【特許文献１】公開特許公報  特開平８−１９５８９９号公報
【０００４】
特許文献１には、撮像素子を基板に固定し、その撮像素子を覆うレンズ鏡筒の外周面にレンズ鏡筒固定用のフランジを外方に突出させ、このフランジに穴を設け、この穴にねじを装着してレンズ鏡筒を基板に固定し、レンズ鏡筒の取り付け位置全体を覆うように、ノイズを遮光するためのシールドケースが基板の上面に取付けられるとともに、その基板にはビデオ回路が搭載され、シールドケース及びビデオ回路は上下側半体により覆うようにして撮像装置を完成させているものが記載されている。
【発明の開示】
【発明が解決しようとする課題】
【０００５】
ところが、特許文献１に記載の発明では、レンズ鏡筒の外周面にレンズ鏡筒固定用のフランジを外方に突出させているので、レンズ鏡筒を備えた撮像装置を携帯電話に装着する場合に、撮像装置を取付ける位置やその周囲の形状等によってはそのフランジのレンズ鏡筒に対する配置を変更しないと、携帯電話に装着できない場合がある。このときには、そのフランジの配置を変更する際に、レンズ鏡筒全体を取り替える必要がある。しかし、レンズ鏡筒自体の変更・取り替えは、撮像素子に対するレンズ位置等の精度が要求されるため、レンズ鏡筒の変更・取り替えは必ずしも容易ではないという課題があった。なお、特許文献１には、各種の移動体通信装置（例えば、携帯電話）にかかる撮像装置を固定する場合における具体的な固定手段については記載されていないものである。
【０００６】
そこで、この発明は、上記のような課題点を解消するためになされたもので、撮像素子の駆動電圧を生成する高圧電源回路による不要輻射を抑圧するとともに、携帯電話等の移動体通信装置に容易に固定し得る新規な撮像装置を提供することを目的とする。
【課題を解決するための手段】
【０００７】
請求項１の発明に係る撮像装置は、基板と、この基板上に設けられた撮像素子と、この撮像素子上に設けられた光学ユニットと、前記基板上に設けられ、前記撮像素子の駆動電圧を生成する高圧電源回路と、前記光学ユニットの表面部を露出させ、前記高圧電源回路を電磁シールドするシールドケースと、このシールドケースに連続して前記シールドケースの外側に延び、移動体通信装置に固定される固定部とを備えたものである。
【０００８】
請求項２の発明に係る撮像装置は、基板と、この基板上に設けられた撮像素子と、この撮像素子上に設けられた光学ユニットと、前記基板上に設けられ、前記撮像素子から出力される映像信号をＡＤ変換するＡＤ変換回路と、前記基板上に設けられ、前記撮像素子の駆動電圧を生成し、前記ＡＤ変換回路に電力を供給する高圧電源回路と、前記光学ユニットの表面部を露出させ、前記ＡＤ変換回路及び前記高圧電源回路を電磁シールドするシールドケースと、このシールドケースに連続して前記シールドケースの外側に延び、移動体通信装置に固定される固定部とを備えたものである。
【０００９】
請求項３の発明に係る撮像装置は、前記シールドケースの対向する両端部を屈曲させ、前記固定部をその屈曲した各先端に連続して形成した請求項１又は２に記載のものである。
【００１０】
請求項４の発明に係る撮像装置は、前記固定部と前記シールドケースとを一体成形した請求項１〜３のいずれかに記載のものである。
【００１１】
請求項５の発明に係る撮像装置は、前記シールドケースを導電性樹脂により形成した請求項１〜４のいずれかに記載のものである。
【００１２】
請求項６の発明に係る撮像装置は、前記固定部を接地した請求項１〜５のいずれかに記載のものである。
【００１３】
請求項７の発明に係る撮像装置は、螺子により前記固定部を前記移動体通信装置に固定した請求項１〜６のいずれかに記載のものである。
【発明の効果】
【００１４】
以上のようにこの発明によれば、撮像素子の駆動電圧を生成する高圧電源回路を電磁シールドするシールドケースに対し、このシールドケースにその外側に延びる固定部を設け、この固定部により移動体通信装置に取付けるため、その取付ける位置等によってもそのシールドケースを変更・取り替えるだけで携帯電話等の移動体通信装置に容易に固定することが可能とより、高圧電源回路による不要輻射をも抑圧することができるという効果を奏する。
【発明を実施するための最良の形態】
【００１５】
実施の形態
以下、この発明の実施の形態について、図１及び図２を用いて説明する。図１（ａ）（ｂ）は、それぞれこの実施の形態に係る撮像装置の平面図及び断面図である。図２は、この実施の形態に係る撮像装置の全体構成を説明するための構成説明図である。図１及び図２において、１は撮像装置、２は撮像装置１を載置する基板、３は基板２上に配設したＣＣＤ固体撮像素子（以下、単に「撮像素子」という。）、４は撮像素子３上に配設した光学ユニットで、レンズ及びレンズホルダを有する。５は、基板２上に設けた高圧電源回路で、電源より電力が供給され、撮像素子３の駆動電圧を生成するものである。６は、基板２上に配置し、撮像素子３を駆動制御する駆動制御回路である。７は、基板２上に配置し、撮像素子３から出力される映像信号をＡＤ変換してデジタル信号を出力するＡＤ変換回路である。８は、基板２上に配置し、デジタル信号を処理してデジタル画像データを出力するデジタル信号処理回路であり、リセット信号によりリセットされる。９は、基板２上に配置し、撮像素子３、駆動制御回路６及びＡＤ変換回路７のタイミングを制御するタイミング制御回路である。また、駆動制御回路６、ＡＤ変換回路７、デジタル信号処理回路８、及びタイミング制御回路９については、高圧電源回路５からそれぞれ電力が供給される。なお、撮像装置１は、接地端子に接続している。
【００１６】
１０は、金属製又は導電性樹脂により形成し、基板２上に配設したシールドケースで、図１（ｂ）に示すように、光学ユニットの表面部を露出させ、高圧電源回路５及びＡＤ変換回路７を電磁的にシールドする。この実施例では、この他に、駆動制御回路６、デジタル信号処理回路８、タイミング制御回路９をもシールドするよう構成している。また、シールドケース１０は、対向する両端部をそれぞれ屈曲させて基板２の端部にそれぞれ接続している。１１、１１は、シールドケース１０の対向する両端部にそれぞれ連続して外側に延びる固定部で、シールドケース１０と一体成形され、同じ金属製又は導電性樹脂により形成する。各固定部１１には、それぞれ穴部１２，１２を形成する。撮像素子３を駆動制御するための電圧を生成する高圧電源回路５やＡＤ変換回路７等をシールドケース１０により電磁的にシールドして携帯電話等の移動体通信装置に収納される。こうして、撮像装置１は、携帯電話等の移動体通信装置の所定に位置に取付けられる。なお、固定部１１，１１はシールドケース１０とは別個に形成してシールドケース１０に導電性接着剤により接着・固定してもよい。
【００１７】
図３は、この実施の形態における携帯電話の筐体内に撮像装置１を取付ける場合における斜視説明図である。図３において、１３は携帯電話の筐体である。１４は、金属製の螺子で、固定部１１，１１の穴部１２、１２にそれぞれ挿入して締結することで、筐体１３の所定位置に取付けている。１５は接地端子で、固定部１１，１１に対して接地しているか、或いは螺子１４，１４に対して接地している。こうして、シールドケース１０は、接地されることになり、高圧電源回路５やＡＤ変換回路７等を電磁的にシールドしている。
図４は、この実施の形態における固定部１１，１１を接地した様子を示す断面構成図である。図４において、１６、１６は、導電性接着剤で、基板２と固定部１１．１１とを電気的に接続し、固着している。
【００１８】
図５（ａ）（ｂ）（ｃ）（ｄ）は、それぞれ固定部１１の種々の配置状態を示した平面図である。図５（ａ）は、シールドケース１０の対向する長辺部及び短辺部に固定部１１を配置した状態を示し、図５（ｂ）は、シールドケース１０の対向する長辺部の光学ユニット４に対して対角位置に固定部１１を配置した状態を示し、図５（ｃ）は、シールドケース１０の対向する長辺部にそれぞれ固定部１１を配置した状態を示し、図５（ｄ）は、シールドケース１０の対向する短辺部の光学ユニット４に対して対角位置に固定部１１を配置した状態を示したものである。このように携帯電話に撮像装置を配置する場合の位置やその周辺部の空間状態によって、図５に示すような各種の固定部１１の構成とすることで、容易に携帯電話に撮像装置を装着することが可能となる。この場合に、固定部１１はシールドケース１０に、例えば一体成形することにより固定部１１のシールドケース１０に対する配置を容易に変更することもできる。
【図面の簡単な説明】
【００１９】
【図１】（ａ）（ｂ）はそれぞれ実施の形態に係る撮像装置の平面図及び断面図
【図２】この実施の形態に係る撮像装置の全体構成を説明するための構成説明図
【図３】この実施の形態における携帯電話の筐体内に撮像装置を取付ける場合における斜視説明図
【図４】この実施の形態における固定部を接地した様子を示す断面構成図
【図５】（ａ）（ｂ）（ｃ）（ｄ）は、それぞれ固定部１１の種々の配置状態を示した平面図
【符号の説明】
【００２０】
１・・撮像装置、２・・基板、３・・撮像素子、４・・光学ユニット、５・・高圧電源回路、６・・駆動制御回路、７・・ＡＤ変換回路、８・・デジタル信号処理回路、９・・タイミング制御回路、１０・・シールドケース、１１・・固定部、１２・・穴部、１３・・筐体、１４・・螺子、１５・・接地端子、１６・・導電性接着剤
【図１】
2006165646.tif 000003
【図２】
2006165646.tif 000004
【図３】
2006165646.tif 000005
【図４】
2006165646.tif 000006
【図５】
2006165646.tif 000007